(57)【要約】      （修正有）【課題】従来の吸着盤における欠点を解決し、真空状態の吸着盤を提供する。【解決手段】真空状態の吸着盤では、吸着盤にはベース主体１０があり、ベース主体の中には操作レバー２０に制御される吸盤３０が設けられる。吸盤は引棒３１によりベース主体中央の穿孔より突き出された後、操作レバーと連結される。操作レバーを捻って偏心させることでベース主体に当て、吸盤が引っ張られることによって内部に吸引力が生じる。またベース主体と吸盤の間には第一バネ４０が挟設される。また吸盤と引棒の向かい合わせた所にそれぞれ通気孔３０１とバルブ孔３２が貫通される。バルブ孔中にはバルブ部分５０と第二バネ６０が取り付けられ、バルブ孔は真空吸引器と接続するために提供され、さらに真空吸引器の操作によってバルブ部分が連帯して平行移動することで、吸盤内に残った空気は真空吸引器によって通気孔とバルブ孔より抜くことができ、完全真空の吸着になる。【選択図】図２
0003215114.tif 000002
【実用新案登録請求の範囲】
【請求項１】
真空状態の吸着盤であって、上記吸着盤はベース主体を含み、
ベース主体の中には操作レバーに制御される吸盤が設けられ、上記吸盤は引棒により上記ベース主体中央の穿孔より突き出された後、上記操作レバーと連結され、上記操作レバーを捻って偏心させることでベース主体に当て、上記吸盤が引っ張られることによって内部に吸引力が生じ、また上記ベース主体と吸盤の間には第一バネが挟設され、また上記吸盤と引棒の向かい合わせられた所にそれぞれ通気孔とバルブ孔が貫通され、上記バルブ孔中にはバルブ部分と第二バネが取り付けられ、上記バルブ孔は真空吸引器と接続するために用いられ、さらに真空吸引器の操作によって上記バルブ部分が連帯して平行移動することで、上述の吸盤内に残った空気は真空吸引器によって上述の通気口と上述のバルブ孔より抜け出して、完全真空の吸着になり、
上記バルブ孔には上孔部と、栓詰め部と下孔部があり、上記栓詰め部は上記上孔部と隣接するように維持され、上記下孔部は上記吸盤の通気孔と隣接するように維持され、上記下孔部と上記栓詰め部の間は連接路の貫通によって上記通気孔、下孔部、連接路、栓詰め部、及び上孔部が順番に導通され、
バルブ部分には上記栓詰め部と上記上孔部の間で平行移動できる栓があり、上記栓の下方には上記連接路より上記下孔部の中へ突き出る棒体が設けられ、上記棒体は上記下孔部より伸びて拡大された阻止部が接続され、上記阻止部と上記連接路の下方平面によって上記第二バネが支えられることによって、上記バルブ部が常態において押されて下に向けられるようになり、上記栓により上記栓詰め部に詰められることで上記バルブ孔が完全に密封されることを特徴とする真空状態の吸着盤。
【請求項２】
上記ベース主体の外周より伸びた掴み部があることを特徴とする請求項１の真空状態の吸着盤。
【請求項３】
上記操作レバーに切り込み口が形成され、上記切り込み口によって回避を提供することで上記真空吸引器は順調に上記バルブ孔の上孔部と接続できることを特徴とする請求項１の真空状態の吸着盤。
【請求項４】
上記連接路は上記栓詰め部と上記下孔部に対して縮径して設置されることを特徴とする請求項１の真空状態の吸着盤。
【請求項５】
上記栓と上記バルブ孔の栓詰め部は円錐状で合わせられるように設けられることを特徴とする請求項１の真空状態の吸着盤。
【請求項６】
上記バルブ孔の連接路は少なくとも二段階状に設けられ、上記第二バネは上記連接路の下方階縁より構成された平面に支えられるようにすることを特徴とする請求項１の真空状態の吸着盤。
【請求項７】
上記真空吸引器は手動ポンプであることを特徴とする請求項１の真空状態の吸着盤。
【請求項８】
上記真空吸引器は吸引ポンプであることを特徴とする請求項１の真空状態の吸着盤。
【考案の詳細な説明】
【技術分野】
【０００１】
本考案は「真空状態の吸着盤」に関し、特に吸着後再び真空にできる吸着盤構造に関する。
【背景技術】
【０００２】
吸着盤は平面に吸着し、そして固定する機能がある。それに吸着過程が便利で、スピーディーであるほか、穴をあけたり釘を打ったりする破壊的な作業をしなくても良いため、消費者に好まれて日常生活の中で広く使われ、浴室、台所、車、ガラス又は壁には吸着盤によって固定される構造がよく見られる。現在ある従来の吸着盤９０の多くは図８に示されるように、吸盤９１と、固定部分９２と、バネ９３と、制御レバー９４とを含む。その中、吸盤９１の片側表面中央より引棒９１１が伸び、固定部分９２は蓋体であって、その中央に穿孔９２１が設けられる。外側は各種物置又は位置決め構造の設置に用いられる。制御レバー９４の枢接部に偏心部９４１があり、組み立てる時にバネ９３が吸盤９１の引棒９１１に嵌め合わされる。吸盤９１は上述の引棒９１１によって固定部分９２の穿孔９２１より突き出されることで吸盤９１が固定部分９２に覆われ、制御レバー９４は吸盤９１より突き出した固定部分９２の引棒９１１に枢組される。これによって、吸盤９１が平面に張り合わされた時、制御レバー９４を操作することで制御レバー９４が偏心部９４１によって固定部分９２に当てられ、そして吸盤９１は上へと引っ張られることで上述の吸盤９１は該上へ引っ張る力によって吸引力が生じ、順調に該平面に吸着する。
【０００３】
しかし、上述のような従来構造は実際に応用する際は以下の問題が存在する。吸盤９１が平面に張り合わせた時は該吸盤９１と平面の間に依然として少量の空気が残り、そして吸盤９１を単純に上へ引っ張ることでは該空気を完全に抜くことができない又は排出できない、そのため、上述吸盤９１が吸着した後、該吸盤９１と平面の間に依然として上述の空気が残る問題が発生するため、完全真空の吸着盤構造が得られず、吸引力不足のため吸着盤９０が吸着後に再び簡単に落ちることになる。
【０００４】
従って、上述のような従来の吸着盤構造における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案は、従来の吸盤を単純に上へ引っ張ることでは空気を完全に抜くことができない又は排出できないため上述の吸盤と平面の間に上述の空気が残る問題を解決し、真空状態の吸着盤を提供する。
【課題を解決するための手段】
【０００６】
本考案は真空状態の吸着盤を提供し、該吸着盤にはベース主体があり、上述のベース主体の中には操作レバーに制御される吸盤が設けられる。該吸盤は引棒により上述のベース主体中央の穿孔より突き出された後、上述の操作レバーと連結される。上述の操作レバーを捻って偏心させることでベース主体に当て、上述の吸盤が引っ張られることによって内部に吸引力が生じる。また該ベース主体と吸盤の間には第一バネが挟設される。また上述の吸盤と引棒の向かい合わせた所にそれぞれ通気孔とバルブ孔が貫通される。該バルブ孔中にはバルブ部分と第二バネが取り付けられ、該バルブ孔は真空吸引器と接続するために提供され、さらに真空吸引器の操作によって上述バルブ部分が連帯され平行移動することで、上述の吸盤内に残った空気は真空吸引器によって上述の通気口と上述のバルブ孔より抜くことができ、完全真空の吸着になる。ここで、上述のバルブ孔には上孔部と、栓詰め部と下孔部がある。該栓詰め部は上述の上孔部と隣接するように維持され、該下孔部は上述の吸盤の通気孔と隣接するように維持される。上述の下孔部と上述の栓詰め部の間は連接路の貫通によって上述の通気孔、下孔部、連接路、栓詰め部、上孔部が順番に導通される。また該連接路は上述の栓詰め部と上述の下孔部に対して縮径して設置され、バルブ部分は上述の栓詰め部と上述の上孔部の間で平行移動できる栓があり、上述の栓の下方には上述の連接路より上述の下孔部の中へ突き出る棒体が設けられる。該棒体は上述の下孔部より伸びて拡大された阻止部が接続され、該阻止部と上述の連接路の下方平面によって上述の第二バネが支えられることによって、上述のバルブ部が常態において押されて下に向けられるようになり、上述の栓により上述の栓詰め部に詰めることで上述のバルブ孔が完全に密封される。これによって、真空状態の吸着盤が得られる。
【０００７】
本考案は真空状態の吸着盤を提供し、バルブ孔、通気孔、バルブ部分と第二バネの設置を利用すれば、該吸着盤は吸着を完成した後、また真空吸引器と組み合わせて内部に残った空気を吸い取ることで上述の吸着盤は完全真空の吸着状態になり、上述の吸着盤の吸引力が著しくアップできる以外、吸着盤は吸着後に再び勝手に落ちることが避けられる。
【図面の簡単な説明】
【０００８】
【図１】図１は、本考案が真空吸引器と組み合わせて使用する際の立体組立図である。
【図２】図２は、本考案に係る真空状態の吸着盤を示す立体分解図である。
【図３】図３は、本考案が平面に張り合わせた時の断面図である。
【図４】図４は、本考案の吸着後の状態図である。
【図５】図５は、本考案が真空吸引器と接続する際の状態図である。
【図６】図６は、本考案の接続後の真空状態図である。
【図７】図７は、本考案が完全真空吸着の状態図である。
【図８】図８は、従来の構造図である。
【考案を実施するための形態】
【０００９】
まず、図１から図３を参照されたい。本考案の真空状態の吸着盤は、該吸着盤にはベース主体１０があり、上述のベース主体１０の中には操作レバー２０に制御される吸盤３０が設けられる。該吸盤３０は引棒３１により上述のベース主体１０中央の穿孔１１より突き出された後、上述の操作レバー２０と連結される。上述の操作レバー２０を捻って偏心させることでベース主体１０に当て、上述の吸盤３０が引っ張られることによって内部に吸引力が生じる。また該ベース主体１０と吸盤３０の間には第一バネ４０が挟設される。また上述の吸盤３０と引棒３１の向かい合わせた所にそれぞれ通気孔３０１とバルブ孔３２が貫通される。該バルブ孔３２中にはバルブ部分５０と第二バネ６０が取り付けられ、該バルブ孔３２は真空吸引器７０と接続するために提供され、さらに真空吸引器７０の操作によって上述のバルブ部分５０が連帯され平行移動することで、上述の吸盤３０内に残った空気８０は上述の通気孔３０１と上述のバルブ孔３２より真空吸引器７０によって抜くことができ、完全真空の吸着になる。ここで、上述のバルブ孔３２には上孔部３２１と、栓詰め部３２２と下孔部３２３がある。該栓詰め部３２２は上述の上孔部３２１と隣接するように維持され、該下孔部３２３は上述の吸盤３０の通気孔３０１と隣接するように維持される。上述の下孔部３２３と上述の栓詰め部３２２の間は連接路３２４の貫通によって上述の通気孔３０１、下孔部３２３、連接路３２４、栓詰め部３２２、上孔部３２１が順番に導通される。また該連接路３２４は上述の栓詰め部３２２と上述の下孔部３２３に対して縮径して設置され、バルブ部分５０は上述の栓詰め部３２２と上述の上孔部３２１の間で平行移動できる栓５１があり、上述の栓５１の下方には上述の連接路３２４より上述の下孔部３２３の中へ突き出る棒体５２が設けられる。該棒体５２は上述の下孔部３２３より伸びて拡大された阻止部５３が接続され、該阻止部５３と上述の連接路３２４の下方平面によって上述の第二バネ６０が支えられることによって、上述のバルブ部分５０は常態において押されて下に向けられるようになり、上述の栓５１により上述の栓詰め部３２２に詰めることで上述のバルブ孔３２が完全に密封される。
【００１０】
実際に使用する時、上述の吸盤３０を平面に張り合わせ（同時に図３を参照されたい）、操作レバー２０を捻って偏心させてベース主体１０に当てることで吸盤３０が引っ張られて上述の平面に吸引力が生じるが、該吸盤３０を引っ張って吸着させる動作は元々上述の吸盤３０と平面の間に残った少量の空気８０を取り除くことができない（同時に図４を参照されたい）ため、上述の真空吸引器７０を上述のバルブ孔３２の上孔部３２１と接続させる必要があって（同時に図５を参照されたい）、それで空気８０を抜く動作が行われる。空気が抜かれる時に該バルブ部分５０は空気が抜かれる力によって上孔部３２１と連帯して、栓詰め部３２２は上述の栓５１の封鎖を受けることがないため、上述吸盤３０と平面の間に残った空気８０は、通気孔３０１、下孔部３２３、連接路３２４、栓詰め部３２２、上孔部３２１を経由して上述の真空吸引器７０によって抜かれやすくなる（同時に図６を参照されたい）。上述の空気８０が完全に抜かれると上述の真空吸引器７０を上述吸着盤より外れる。上述のバルブ部分５０は第二バネ６０の弾力が開放されることを利用し、すぐに跳ね返って元の位置に戻ることで上述のバルブ５０の栓５１を改めて栓詰め部３２２に詰められ、自動的に封鎖する密封効果が発生し（同時に図７を参照されたい）、外部の空気が上述のバルブ孔３２より上述の封着ベースに侵入することなく、上述の吸着盤も完全真空の吸着により、吸着力が著しく強化される。
【００１１】
本考案は真空状態の吸着盤を提供し、そして、上述のベース主体１０の外周より伸びた掴み部１２があり、上述の吸着盤は先に該掴み部１２で固定したい物品を掴んだ後、平面に吸着される。
【００１２】
本考案は真空状態の吸着盤を提供し、そして、上述の操作レバー２０に切り込み口２１が形成され、該切り込み口２１によって回避を提供することで上述の真空吸引器７０は順調に上述のバルブ孔３２の上孔部３２１と接続できる。
【００１３】
本考案は真空状態の吸着盤を提供し、そして、上述の栓５１と上述のバルブ孔３２の栓詰め部３２２は円錐状で合わせるように設けられる。
【００１４】
本考案は真空状態の吸着盤を提供し、そして、上述のバルブ孔３２の連接路３２４は少なくとも二段階状に設けられ、上述の第二バネ６０はの連接路３２４の下方階縁より構成された平面に支えられるようにする。
【００１５】
本考案は真空状態の吸着盤を提供し、そして、上述の真空吸引器７０は手動ポンプである。
【００１６】
本考案は真空状態の吸着盤を提供し、そして、上述の真空吸引器７０は吸引ポンプである。
【００１７】
上述の具体的な実施例の構造によると以下の効果が得られる。バルブ孔３２、通気孔３０１、バルブ部分５０と第二バネ６０の設置を利用すれば、該吸着盤は吸着を完成した後、また真空吸引器７０と組み合わせて内部に残った空気８０を吸い取ることで上述の吸着盤は完全真空の吸着状態になり、上述の吸着盤の吸引力が著しくアップできる以外、吸着盤は吸着後に再び勝手に落ちることが避けられる。
【００１８】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１９】
１０        ベース主体
１１        穿孔
１２        掴み部
２０        操作レバー
２１        切り込み口
３０        吸盤
３０１      通気孔
３１        引棒
３２        バルブ孔
３２１      上孔部
３２２      栓詰め部
３２３      下孔部
３２４      連接路
４０        第一バネ
５０        バルブ部分
５１        栓
５２        棒体
５３        阻止部
６０        第二バネ
７０        真空吸引器
８０        空気
９０        吸着盤
９１        吸盤
９１１      引棒
９２        固定部分
９２１      穿孔
９３        バネ
９４        制御レバー
９４１      偏心部
【図１】
0003215114.tif 000003
【図２】
0003215114.tif 000004
【図３】
0003215114.tif 000005
【図４】
0003215114.tif 000006
【図５】
0003215114.tif 000007
【図６】
0003215114.tif 000008
【図７】
0003215114.tif 000009
【図８】
0003215114.tif 000010